(57)【特許請求の範囲】
【請求項１】
ケースと、
フレキシブルなディスプレイパネルと、
前記ケースの内部に位置し、前記ディスプレイパネルを選択的に巻き取り、又は巻き出すローラーと、
前記ディスプレイパネルを前記ケースから延長するように構成された上昇機構と、
を備え、
前記上昇機構が、
前記ディスプレイパネルに取り付けられているガイドレールと、
一端が前記ディスプレイパネルの長さ方向における前記ケースの一端に位置し、前記ガイドレールを上昇させるように構成された第１リンクと、
一端が前記ディスプレイパネルの長さ方向における前記ケースの他端に位置し、前記ガイドレールを上昇させるように構成された第２リンクと、
前記第１リンクの他端部に配置され、前記ガイドレールに沿って移動可能な第１ガイドブラケットと、
前記第２リンクの他端部に配置され、前記ガイドレールに沿って移動可能な第２ガイドブラケットと、
を含み、
前記第１ガイドブラケット及び前記第２ガイドブラケットのそれぞれは、
前記ガイドレールの内部に位置するガイド部と、
前記ガイド部から延長する回転リンク部と、
を含み、
前記第１ガイドブラケットの前記回転リンク部は前記第１リンクに回転可能に接続され、前記第２ガイドブラケットの前記回転リンク部は前記第２リンクに回転可能に接続され、
前記第１リンク及び前記第２リンクのそれぞれは、前記ディスプレイパネルの長さ方向における第１辺の半分に対応する長さを有し、
前記ディスプレイパネルが前記ローラーに巻き取られている非使用モードにおいて、前記第１リンクの前記他端部及び前記第２リンクの前記他端部は、お互いに向き合うように配置され、
前記ディスプレイパネルが完全に外部に展開している使用モードにおいて、前記第１リンクの前記他端部及び前記第２リンクの前記他端部は、該ディスプレイパネルの前記第１辺に垂直な第２辺及び第３辺上の、該第１辺の両端部にそれぞれ対応する位置に配置されている、
ディスプレイ装置。
【請求項２】
前記ガイドレールが取り付けられている固定ブラケットを更に備え、
前記固定ブラケットは、前記ディスプレイパネルの一端部が挿入される差込ホールを有する固定部を含む、請求項１に記載のディスプレイ装置。
【請求項３】
前記ディスプレイパネルの一端部に設けられる固定ブラケットを更に備える、請求項１に記載のディスプレイ装置。
【請求項４】
前記ガイドレールは前記固定ブラケットに取り付けられている、請求項３に記載のディスプレイ装置。
【請求項５】
ケースと、
フレキシブルなディスプレイパネルと、
前記ケースの内部に位置し、前記ディスプレイパネルを選択的に巻き取り、又は巻き出すローラーと、
前記ディスプレイパネルを前記ケースから延長するように構成された上昇機構と、
を備え、
前記上昇機構が、
前記ディスプレイパネルに取り付けられているガイドレールと、
前記ガイドレールを上昇させるように構成された第１リンクと、
前記ガイドレールを上昇させるように構成された第２リンクと、
前記第１リンクの他端部に配置され、前記ガイドレールに沿って移動可能な第１ガイドブラケットと、
前記第２リンクの他端部に配置され、前記ガイドレールに沿って移動可能な第２ガイドブラケットと、
前記ディスプレイパネルの一端部に設けられる固定ブラケットと、
を含み、
前記第１ガイドブラケット及び前記第２ガイドブラケットのそれぞれは、
前記ガイドレールの内部に位置するガイド部と、
前記ガイド部から延長する回転リンク部と、
を含み、
前記第１ガイドブラケットの前記回転リンク部は前記第１リンクに回転可能に接続され、前記第２ガイドブラケットの前記回転リンク部は前記第２リンクに回転可能に接続され、
前記固定ブラケットは、前記ディスプレイパネルの一端部が挿入される差込ホールを有する固定部を含み、
前記第１リンク及び前記第２リンクのそれぞれは、前記ディスプレイパネルの長さ方向における第１辺の半分に対応する長さを有し、
前記ディスプレイパネルが前記ローラーに巻き取られている非使用モードにおいて、前記第１リンクの前記他端部及び前記第２リンクの前記他端部は、お互いに向き合うように配置され、
前記ディスプレイパネルが完全に外部に展開している使用モードにおいて、前記第１リンクの前記他端部及び前記第２リンクの前記他端部は、該ディスプレイパネルの前記第１辺に垂直な第２辺及び第３辺上の、該第１辺の両端部にそれぞれ対応する位置に配置されている、
ディスプレイ装置。
【請求項６】
前記ガイドレールが前記固定ブラケットに取り付けられている、請求項５に記載のディスプレイ装置。
【請求項７】
前記第１リンクの前記一端は第１モーターに接続され、
前記第２リンクの前記一端は第２モーターに接続される、
請求項１に記載のディスプレイ装置。
【発明の詳細な説明】
【技術分野】
【０００１】
本発明は、ローラブルディスプレイ装置に関するものであり、特にディスプレイパネルの一縁部に接続された印刷回路基板を安定して固定することができ、ディスプレイパネルが全自動で巻き取られたり巻き出されたりすることができるローラブルディスプレイ装置に関するものである。
【背景技術】
【０００２】
近年、本格的な情報化時代に突入するに従い、大量の情報を処理及び表示するディスプレイ分野が急速に発展してきており、それに応じて様々なフラットディスプレイ装置が開発されて脚光を浴びている。
【０００３】
このようなフラットディスプレイ装置の具体例では、液晶ディスプレイ装置（Ｌｉｑｕｉｄ  Ｃｒｙｓｔａｌ  Ｄｉｓｐｌａｙ  ｄｅｖｉｃｅ：ＬＣＤ）、プラズマディスプレイ装置（Ｐｌａｓｍａ  Ｄｉｓｐｌａｙ  Ｐａｎｅｌ  ｄｅｖｉｃｅ：ＰＤＰ）、電界放出ディスプレイ装置（Ｆｉｅｌｄ  Ｅｍｉｓｓｉｏｎ  Ｄｉｓｐｌａｙ  ｄｅｖｉｃｅ：ＦＥＤ）、電気発光ディスプレイ装置（Ｅｌｅｃｔｒｏｌｕｍｉｎｅｓｃｅｎｃｅ  Ｄｉｓｐｌａｙ  ｄｅｖｉｃｅ：ＥＬＤ）、有機発光素子（Ｏｒｇａｎｉｃ  Ｌｉｇｈｔ  Ｅｍｉｔｔｉｎｇ  Ｄｉｏｄｅｓ：ＯＬＥＤ）などが挙げられるが、これらフラットディスプレイ装置は薄型化、軽量化、低消費電力化といった優れた性能を示し、既存のブラウン管（Ｃａｔｈｏｄｅ  Ｒａｙ  Ｔｕｂｅ：ＣＲＴ）を急速に代替している。
【０００４】
一方、かかるフラットディスプレイ装置は、製造工程中に発生する高熱に耐えられるようにガラス基板を使用するため、軽量薄型化及び柔軟性を与えるには限界がある。
【０００５】
したがって、従来の柔軟性のないガラス基板の代わりにプラスチックなどのように柔軟性のある材料を使用し、紙のように曲がってもディスプレイ性能をそのまま維持できるように製造されたフレキシブルディスプレイ装置が次世代のフラット型ディスプレイ装置として急浮上している。
【０００６】
フレキシブルディスプレイ装置は、ガラスではなくプラスチックの薄膜トランジスタ基板を活用した耐久性の高いアンブレイカブル、壊れることなく曲げられるベンダブル、巻き取れるローラブル、折り畳めるフォルダブルなどに分けられる。かかるフレキシブルディスプレイ装置は、空間活用性、インテリア及びデザインの面で長所を有し、様々な分野に応用することができる。
【０００７】
特に最近は、超薄型、軽量化及び小型化と共に大面積化を具現化するためのローラブルディスプレイ装置に関する研究が活発に行われている。
【発明の概要】
【発明が解決しようとする課題】
【０００８】
本発明は、上記した問題点を解決するためのものであって、ディスプレイパネルに接続された印刷回路基板が安定して固定されるローラブルディスプレイ装置を提供することを目的とする。
【０００９】
また、本発明は、ディスプレイパネルが全自動で巻き取られたり巻き出されたりするローラブルディスプレイ装置を提供することを他の目的とする。
【００１０】
また、本発明は、空間活用性、インテリア及びデザインが向上したローラブルディスプレイ装置を提供することを更に他の目的とする。
【課題を解決するための手段】
【００１１】
本発明は前述のような目的を達成するため、フレキシブルなディスプレイパネルと、前記ディスプレイパネルが選択的に巻き取られたり巻き出されたりするローラーと、前記ディスプレイパネルに接続され、前記ローラーの内部に位置する印刷回路基板とを備えるディスプレイ装置を提供する。
【００１２】
そして、前記ディスプレイ装置は、前記ディスプレイパネルの一端部を前記印刷回路基板に接続する接続部材を更に備えることができる。
【００１３】
また、前記ローラーは前記ローラーの長さ方向に沿って延長するガイドホールを含み、前記接続部材は前記ガイドホールの内部に位置することができる。
【００１４】
そして、前記ディスプレイ装置は、前記ディスプレイパネルの一端部を前記ローラーに固定させる接着手段を更に備えることができる。
【００１５】
また、前記ディスプレイ装置は、前記印刷回路基板を前記ローラーに接続するピンを更に備えることができる。
【００１６】
そして、前記ピンは、前記ローラーの差込ホールに位置する第１端部を有し、前記印刷回路基板のピンホールを通じて延長し、前記ローラーのピン収容部に位置する第２端部を有することができる。
【００１７】
また、前記ピン収容部は前記ローラーの固定溝であっても良く、前記ローラーは円筒形状若しくは中空管形状であっても良い。
【００１８】
一方、本発明は、ケースと、フレキシブルなディスプレイパネルと、前記ケースの内部に位置し、前記ディスプレイパネルが選択的に巻き取られたり巻き出されたりするローラーと、前記ディスプレイパネルを前記ケースから延長し、前記ディスプレイパネルに付着されるガイドレール及び前記ガイドレールを上昇させる第１リンクを含む上昇手段とを備えるディスプレイ装置を提供する。
【００１９】
そして、前記ディスプレイ装置は、前記第１リンクの一端部に位置し、前記ガイドレールに沿って移動可能な第１ガイドブラケットを更に備えることができる。
【００２０】
また、前記ディスプレイ装置は、前記ガイドレールを上昇させる第２リンクを更に備えることができる。
【００２１】
そして、前記ディスプレイ装置は、前記第１リンクの一端部に配置され、前記ガイドレールに沿って移動可能な第１ガイドブラケットと、前記第２リンクの一端部に配置され、前記ガイドレールに沿って移動可能な第２ガイドブラケットとを更に備えることができる。
【００２２】
また、前記第１ガイドブラケット及び前記第２ガイドブラケットのそれぞれは、前記ガイドレールの内部に位置するガイド部と、前記ガイド部から延長する回転リンク部とを含み、前記第１ガイドブラケットの前記回転リンク部は前記第１リンクに回転可能に接続し、前記第２ガイドブラケットの前記回転リンク部は前記第２リンクに回転可能に接続することができる。
【００２３】
そして、前記ディスプレイ装置は前記ガイドレールが付着される固定ブラケットを更に備えることができ、前記固定ブラケットは前記ディスプレイパネルの一端部が挿入される差込ホールを有する固定部を含むことができる。
【００２４】
また、前記ディスプレイ装置は、前記ディスプレイパネルの一端部に提供される固定ブラケットを更に備えることができる。
【００２５】
そして、前記ガイドレールは前記固定ブラケットに付着することができる。
【００２６】
また、前記固定ブラケットは、前記ディスプレイパネルの一端部が挿入される差込ホールを有する固定部を含むことができる。
【００２７】
一方、本発明は、ケースと、フレキシブルなディスプレイパネルと、前記ケースの内部に位置し、前記ディスプレイパネルが選択的に巻き取られたり巻き出されたりするローラーと、前記ディスプレイパネルに接続され、前記ローラーの内部に位置する印刷回路基板と、前記ディスプレイパネルを前記ケースから延長し、前記ディスプレイパネルに付着されるガイドレール及び前記ガイドレールを上昇させる第１リンクを含む上昇手段とを備えるディスプレイ装置を提供する。
【００２８】
そして、前記ディスプレイ装置は、前記ローラーの長さ方向に沿って延長するガイドホールの内部に位置し、前記ディスプレイパネルの第１端部を前記印刷回路基板に接続する接続部材と、前記印刷回路基板を前記ローラーに接続し、前記ローラーの差込ホールに位置する第１端部及び前記ローラーのピン収容部に位置する第２端部を有し、前記印刷回路基板のピンホールを通じて延長するピンと、前記ガイドレールを上昇させる第２リンクと、前記第１リンクの一端部に配置され、前記ガイドレールに沿って移動可能な第１ガイドブラケット及び前記第２リンクの一端部に配置され、前記ガイドレールに沿って移動可能な第２ガイドブラケットと、前記ガイドレールに付着され、前記ディスプレイパネルの第２端部が挿入される差込ホールを有する固定部を含む固定ブラケットとを更に備えることができる。また、前記第１ガイドブラケット及び前記第２ガイドブラケットのそれぞれは、前記ガイドレールの内部に位置するガイド部と、前記ガイド部から延長する回転リンク部とを含み、前記第１ガイドブラケットの前記回転リンク部は前記第１リンクに回転可能に接続し、前記第２ガイドブラケットの前記回転リンク部は前記第２リンクに回転可能に接続することができる。
【００２９】
一方、本発明は、映像を表示するためのフレキシブルなディスプレイパネルを提供する段階と、前記ディスプレイパネルを繰り広げるため、前記ディスプレイパネルの一部分を上昇させる段階とを備えるディスプレイ提供方法を提供する。
【００３０】
そして、前記ディスプレイパネルの一部分を上昇させる間、前記ディスプレイパネルは巻き出されることができる。
【００３１】
また、前記ディスプレイ提供方法は、前記ディスプレイパネルが巻き出されるハウジングを提供する段階を更に備えることができる。
【００３２】
そして、前記ディスプレイ提供方法は、前記ディスプレイパネルを前記ハウジングに巻き取るため、前記ディスプレイパネルの一部分を下降させる段階を更に備えることができる。
【００３３】
また、前記ディスプレイパネルの一部分を上昇させる間、前記ディスプレイパネルの一部分を上方に押し上げることができる。
【００３４】
そして、前記ディスプレイパネルの一部分は、前記ディスプレイパネルの一端部であっても良い。
【００３５】
また、前記ディスプレイ提供方法は、前記ディスプレイパネルによって前記映像を表示する段階を更に備えることができる。
【００３６】
そして、前記ディスプレイ提供方法は、前記ディスプレイパネルが選択的に巻き取られたり巻き出されたりするローラーを内部に含むケースを提供する段階を更に備えることができる。
【００３７】
また、前記ディスプレイ提供方法は、前記ケースから前記ディスプレイパネルを延長し、前記ディスプレイパネルの一部分を上昇させるための上昇手段を提供する段階を更に備えることができ、前記上昇手段は、前記ディスプレイパネルの一部分に付着されるガイドレールと、前記ガイドレールを上昇させる第１リンクとを含むことができる。
【００３８】
そして、前記ディスプレイ提供方法は、前記ディスプレイパネルに接続され、前記ローラーの内部に位置する印刷回路基板を提供する段階と、前記印刷回路基板から前記ディスプレイパネルに信号を伝達する段階と、前記ディスプレイパネルによって前記映像を表示する段階とを更に備えることができる。
【発明の効果】
【００３９】
前述したように、本発明はローラブルディスプレイ装置を使用しないときはディスプレイパネルがローラーに巻き取られるようにし、使用するときはローラーからディスプレイパネルが巻き出され繰り広げられるようにすることで、空間活用に非常に優れるという効果を奏する。
【００４０】
また、本発明は、超薄型化及び軽量化を具現することができ、インテリア及びデザイン的な活用にも非常に優れるという効果を奏する。
【００４１】
特に、ディスプレイパネルの一縁部に接続される印刷回路基板をローラーの内部空間に安定して固定することにより、ディスプレイパネルがローラーに巻き取られたり繰り広げられたりするときに、印刷回路基板に衝撃が与えられる、若しくは印刷回路基板とディスプレイパネルを接続する接続部材に応力が加えられることを防止できる効果を奏する。
【００４２】
したがって、印刷回路基板上に実装された駆動回路が破損したり、印刷回路基板とディスプレイパネルの接続不具合が発生したりして、信号不良が生じたり、ディスプレイパネルの信頼性が低下したりする問題が発生することを防止できる効果を奏する。
【００４３】
そして、本発明は、ディスプレイパネルを使用しない非使用モードでは、ディスプレイパネルをローラーに巻き取ってケースの内部に位置するようにし、ディスプレイパネルを使用して画像をディスプレイする使用モードでは、ディスプレイパネルをローラーから送り出し、上方に引き上げられるようにすることで、空間活用に非常に優れる効果を有する。また、超薄型化及び軽量化を具現できる効果や、インテリア及びデザイン的な活用にも非常に優れる効果を有する。
【００４４】
また、本発明は、ディスプレイパネルを上方に繰り広げるため、ユーザーが使用する空間内においてケースを底面に位置することができ、その結果、天井や壁面に設置しなくても良いので、美観面でも良く、インテリア及びデザイン的な効果が更に向上する効果を奏する。
【００４５】
そして、本発明は、別途の設置作業が不要なため、追加の設置費用がかからない効果を有し、超薄型及び軽量になっているため、持ち運びや保管がしやすいという効果を有する。
【００４６】
特に、ディスプレイパネルが全自動でローラーに巻き取られたり繰り広げられたりするため、ユーザーの便宜性が更に向上する効果を奏する。
【図面の簡単な説明】
【００４７】
【図１ａ】本発明の第１実施例に係るローラブルディスプレイ装置を概略的に示した斜視図である。
【図１ｂ】本発明の第１実施例に係るローラブルディスプレイ装置を概略的に示した斜視図である。
【図２ａ】図１ａの一部を拡大して示した斜視図である。
【図２ｂ】図２ａのディスプレイパネルがローラーに巻き取られている様子を透過的に示した投影図である。
【図２ｃ】図２ａの断面図である。
【図３ａ】本発明の第１実施例に係るローラブルディスプレイ装置の製造過程を工程の流れに沿って示した図面である。
【図３ｂ】本発明の第１実施例に係るローラブルディスプレイ装置の製造過程を工程の流れに沿って示した図面である。
【図３ｃ】本発明の第１実施例に係るローラブルディスプレイ装置の製造過程を工程の流れに沿って示した図面である。
【図３ｄ】本発明の第１実施例に係るローラブルディスプレイ装置の製造過程を工程の流れに沿って示した図面である。
【図３ｅ】本発明の第１実施例に係るローラブルディスプレイ装置の製造過程を工程の流れに沿って示した図面である。
【図３ｆ】本発明の第１実施例に係るローラブルディスプレイ装置の製造過程を工程の流れに沿って示した図面である。
【図４ａ】本発明の第２実施例に係るローラブルディスプレイ装置を示した正面図である。
【図４ｂ】本発明の第２実施例に係るローラブルディスプレイ装置を示した正面図である。
【図５ａ】本発明の第２実施例に係るローラブルディスプレイ装置を概略的に示した斜視図である。
【図５ｂ】本発明の第２実施例に係るローラブルディスプレイ装置を概略的に示した斜視図である。
【図６ａ】本発明の第２実施例に係るローラブルディスプレイ装置を概略的に示した断面図である。
【図６ｂ】図６ａの分解斜視図である。
【図６ｃ】本発明の第２実施例に係るローラブルディスプレイ装置が非使用モードから使用モードに切り替わる様子を概略的に示した斜視図である。
【図６ｄ】本発明の第２実施例に係るローラブルディスプレイ装置が非使用モードから使用モードに切り替わる様子を概略的に示した斜視図である。
【発明を実施するための最良の形態】
【００４８】
以下、図面を参照し、本発明に係る実施例について詳細に説明する。
【００４９】
図１ａ〜１ｂは、本発明の第１実施例に係るローラブルディスプレイ装置を概略的に示した斜視図である。
【００５０】
図面に示したように本発明の第１実施例に係るローラブルディスプレイ装置１００は、画像を具現化するためのディスプレイパネル１１０と、ディスプレイパネル１１０が巻き取られるローラー１２０を備える。
【００５１】
ディスプレイパネル１１０は、液晶ディスプレイ装置（Ｌｉｑｕｉｄ  Ｃｒｙｓｔａｌ  Ｄｉｓｐｌａｙ  ｄｅｖｉｃｅ：ＬＣＤ）、プラズマディスプレイ装置（Ｐｌａｓｍａ  Ｄｉｓｐｌａｙ  Ｐａｎｅｌ  ｄｅｖｉｃｅ：ＰＤＰ）、電界放出ディスプレイ装置（Ｆｉｅｌｄ  Ｅｍｉｓｓｉｏｎ  Ｄｉｓｐｌａｙ  ｄｅｖｉｃｅ：ＦＥＤ）、電気発光ディスプレイ装置（Ｅｌｅｃｔｒｏｌｕｍｉｎｅｓｃｅｎｃｅ  Ｄｉｓｐｌａｙ  ｄｅｖｉｃｅ：ＥＬＤ）、有機発光素子（Ｏｒｇａｎｉｃ  Ｌｉｇｈｔ  Ｅｍｉｔｔｉｎｇ  Ｄｉｏｄｅｓ：ＯＬＥＤ）のうち、一つからなり得るが、紙のように曲がってもディスプレイ性能をそのまま維持できるフレキシブルディスプレイ装置の代表であるＯＬＥＤを使用することが好ましい。
【００５２】
ＯＬＥＤは自発光素子であって、非発光素子の液晶ディスプレイ装置に使用されるバックライトが不要なため、軽量・薄型が可能である。
【００５３】
そして、液晶ディスプレイ装置に比べ、視野角及びコントラストに優れており、消費電力面でも有利で直流低電圧駆動が可能である。また、応答速度が速く、内部構成要素が固体であるため、外部からの衝撃に強く、使用温度範囲も広いといった長所を有する。
【００５４】
特に、製造工程が単純であるため、生産原価を既存の液晶ディスプレイ装置より大きく節減できるという長所がある。
【００５５】
かかるＯＬＥＤからなるディスプレイパネル１１０は、第１基板と、第１基板と向き合う第２基板とで構成される。第１及び第２基板は、接着性を有する保護層を介して互いに離隔して貼り合わされる。
【００５６】
図面には示していないが、更に詳しく説明すると、第１基板の上部には画素領域毎に駆動薄膜トランジスタが設けられる。それぞれの駆動薄膜トランジスタには第１電極が接続され、第１電極の上部には特定色の光を発光する有機発光層が設けられる。有機発光層の上部には第２電極が設けられる。
【００５７】
有機発光層は赤・緑・青色を表現するが、一般的な方法では画素毎に赤・緑・青色を発光する別途の有機物質をパターニングして使用する。
【００５８】
これら第１及び第２電極とその間に形成された有機発光層は発光ダイオードを構成する。かかる構造を有するディスプレイパネル１１０は、第１電極を陽極（ａｎｏｄｅ）として、第２電極を陰極（ｃａｔｈｏｄｅ）として構成する。
【００５９】
かかるディスプレイパネル１１０の非表示領域には、ディスプレイパネル１１０に駆動信号及び電源信号を伝達する複数の配線及び駆動チップが設けられている。
【００６０】
非表示領域の一側には複数の配線と電気的に接続される印刷回路基板１３０（図２ａを参照）が接続されている。印刷回路基板１３０（図２ａを参照）は軟性回路基板やテープキャリアパッケージ（ＴＣＰ）のような接続部材１４０（図２ｂを参照）を介してディスプレイパネル１１０と接続される。
【００６１】
かかるディスプレイパネル１１０は、図１ａに示すようにローラー１２０に巻き取られている状態からユーザーの必要によっては図１ｂに示すようにディスプレイパネル１１０の一端がローラー１２０から巻き出されて繰り広げられ、画像を具現化する。
【００６２】
かかるローラブルディスプレイ装置１００は、使用しないときはディスプレイパネル１１０がローラー１２０に巻き取られるようにし、使用するときはローラー１２０からディスプレイパネル１１０が巻き出され繰り広げられるようにするため、空間活用に非常に優れている長所を有する。
【００６３】
また、超薄型化及び軽量化を具現することができ、インテリア及びデザイン的な活用にも非常に優れている。
【００６４】
一方、ローラー１２０に巻き取られているディスプレイパネル１１０の一縁部に接続された印刷回路基板１３０（図２ａを参照）をローラー１２０の内部に位置するようにすることで、ディスプレイパネル１１０がローラー１２０に巻き取られたり巻き出されたりするときにおいても、印刷回路基板１３０（図２ａを参照）に衝撃が与えられたり、印刷回路基板１３０（図２ａを参照）とディスプレイパネル１１０を接続する接続部材１４０（図２ｂを参照）に応力が加えられたりしないようにすることが好ましい。
【００６５】
したがって、印刷回路基板１３０（図２ａを参照）上に実装された駆動回路（不図示）が破損したり、印刷回路基板１３０（図２ａを参照）とディスプレイパネル１１０との接続不具合が発生したりして、信号不良が生じたり、ディスプレイパネル１１０の信頼性が低下したりする問題が発生することを防止することができる。
【００６６】
また、接続部材１４０（図２ｂを参照）に加えられる応力によって前述のような問題が発生することを防止すべく、印刷回路基板１３０（図２ａを参照）を別途の固定手段を介してディスプレイパネル１１０の一縁部に固定しなくても良いので、既存の接続部材を接続するタプ工程を維持することができる。
【００６７】
その結果、工程費用を節減することができ、工程の効率性を向上させることができる。
【００６８】
それについて図２ａ〜２ｃを参照し、更に詳しく説明する。
【００６９】
図２ａは、図１ａの一部を拡大して示した斜視図であり、図２ｂは、図２ａのディスプレイパネルがローラーに巻き取られている様子を透過的に示した投影図である。
【００７０】
そして、図２ｃは、図２ａの断面図である。
【００７１】
図中に示すように、ローラブルディスプレイ装置１００は、内部空間Ａが設けられた円筒形状若しくは中空管形状のローラー１２０の外面に沿ってディスプレイパネル１１０が巻き取られている。ローラー１２０には、ローラー１２０の長さ方向に沿って内部空間Ａを露出するガイドホール１２１が設けられている。
【００７２】
かかるローラー１２０のガイドホール１２１の一側には、接続部材１４０を介して印刷回路基板１３０が接続されたディスプレイパネル１１０の一縁部が、ローラー１２０の外面に接着性レジンまたは接着性両面テープのような接着手段１１１（図３ｂを参照）を介して付着及び固定される。ディスプレイパネル１１０の一縁部に接続された接続部材１４０と印刷回路基板１３０は、ローラー１２０のガイドホール１２１に挿入され、ローラー１２０の内部空間Ａに位置することになる。
【００７３】
ローラー１２０のガイドホール１２１の一側とディスプレイパネル１１０の一縁部は、１ｃｍ以下の最小幅を有するように、互いに付着及び固定されるように構成することが好ましい。それにより、ディスプレイパネル１１０がローラー１２０から巻き出されるとき、ローラー１２０の回転によるダメージがディスプレイパネル１１０に印加されることを最小化することができる。
【００７４】
ガイドホール１２１を通じてローラー１２０の内部空間Ａに位置する印刷回路基板１３０は、ローラー１２０の内部空間Ａに備えられるピン１２３を介してその位置が安定して固定される。そのために印刷回路基板１３０の長さ方向の両側には、少なくとも一つ以上のピンホール１３１が形成されている。
【００７５】
即ち、ローラー１２０には、ローラー１２０の内部空間Ａを横切るようにピン１２３を外部から差込・挿入するための差込ホール１２５が形成されている。差込ホール１２５に対応するローラー１２０の内面には、外部から差込ホール１２５を通じてローラー１２０の内部空間Ａを横切り、差込・挿入されるピン１２３の一端が固定される固定溝１２７が形成されている。
【００７６】
印刷回路基板１３０がガイドホール１２１を通じてローラー１２０の内部空間Ａに位置すると、差込ホール１２５を通じてローラー１２０の内部空間Ａを横切り、印刷回路基板１３０のピンホール１３１を貫通するように、外部からピン１２３を差込・挿入して、ローラー１２０の内部空間Ａを横切ったピン１２３の一端が固定溝１２７に固定されるようにする。
【００７７】
したがって、ローラー１２０の内部空間Ａに位置する印刷回路基板１３０は、ピンホール１３１とピン１２３とによって自由度が拘束され、ローラー１２０の内部空間Ａ内においてその位置が安定して固定される。
【００７８】
それにより、ディスプレイパネル１１０がローラー１２０に巻き取られたり巻き出されたりするときに、印刷回路基板１３０に衝撃が与えられたり、印刷回路基板１３０とディスプレイパネル１１０とを接続する接続部材１４０に応力が加えられたりすることを防止することができる。
【００７９】
したがって、印刷回路基板１３０上に実装された駆動回路（不図示）が破損したり、印刷回路基板１３０とディスプレイパネル１１０との接続不具合が発生したりして、信号不良が生じたり、ディスプレイパネル１１０の信頼性が低下したりする問題が発生することを防止することができる。
【００８０】
また、接続部材１４０に加えられる応力によって前述のような問題が発生することを防止すべく、印刷回路基板１３０を別途の固定手段を介してディスプレイパネル１１０の一縁部に固定しなくても良いので、既存の接続部材を接続するタプ工程を維持することができる。
【００８１】
その結果、工程費用を節減することができ、工程の効率性を向上させることができる。
【００８２】
また、ローラー１２０の内部空間Ａを横切るピン１２３の一端を固定溝１２７に固定するように構成することで、ピン１２３自体の位置をローラー１２０の内部空間Ａで固定することができ、ローラー１２０の内部空間Ａに位置する印刷回路基板１３０を更に安定して固定することができる。
【００８３】
図３ａ〜３ｆは、本発明の第１実施例に係るローラブルディスプレイ装置の製造過程を工程の流れに沿って示した図面である。
【００８４】
図３ａに示すように、本発明の第１実施例に係るローラブルディスプレイ装置は、画像を具現化するためのディスプレイパネル１１０と、ディスプレイパネルモジュール１１０が巻き取られるローラー１２０を備える。ローラー１２０は内部空間Ａが設けられた円筒形状若しくは中空管形状であり、長さ方向に沿って内部空間Ａを露出するガイドホール１２１が形成されている。
【００８５】
また、ローラー１２０にはローラー１２０の内部空間Ａを露出する差込ホール１２５が備えられており、差込ホール１２５に対応するローラー１２０の内面には固定溝１２７が形成されている。
【００８６】
そして、反ったり曲げたりすることができるフレキシブルなディスプレイパネル１１０の一縁部には、接続部材１４０を介して印刷回路基板１３０が接続されている。印刷回路基板１３０の長さ方向の両側には、少なくとも一つ以上のピンホール（図２ｂの１３１）が形成されている。
【００８７】
かかるローラー１２０とディスプレイパネル１１０は、図３ｂに示すように、まず、印刷回路基板１３０と接続部材１４０をローラー１２０のガイドホール１２１を通じてローラー１２０の内部空間Ａに位置させた後、接続部材１４０が接続されていたディスプレイパネル１１０の一縁部を、ローラー１２０のガイドホール１２１の一側に接着性レジン（不図示）または接着性両面テープ（不図示）と接着手段１１１とを介して固定させる。
【００８８】
次に、図３ｃに示すようにローラー１２０の外部から差込ホール１２５を通じ、ピン１２３がローラー１２０の内部空間Ａを横切るように差込・挿入されるが、固定溝１２７に差込・挿入されるピン１２３の一端は、印刷回路基板１３０のピンホール（図２ｂの１３１）を貫通し、ローラー１２０の内部空間Ａを横切って図３ｄに示すように、固定溝１２７に固定される。
【００８９】
その結果、ローラー１２０の内部空間Ａに位置する印刷回路基板１３０は、その位置が安定して固定される。
【００９０】
これにより、ディスプレイパネル１１０がローラー１２０に巻き取られたり巻き出されたりするときに、印刷回路基板１３０に衝撃が与えられたり、印刷回路基板１３０とディスプレイパネル１１０とを接続する接続部材１４０に応力が加えられたりすることを防止することができる。
【００９１】
したがって、印刷回路基板１３０上に実装された駆動回路（不図示）が破損したり、印刷回路基板１３０とディスプレイパネル１１０との接続不具合が発生したりして、信号不良が生じたり、ディスプレイパネル１１０の信頼性が低下したりする問題が発生することを防止することができる。
【００９２】
また、接続部材１４０に加えられる応力によって前述のような問題が発生することを防止すべく、印刷回路基板１３０を別途の固定手段を介してディスプレイパネル１１０の一縁部に固定しなくても良いので、既存の接続部材を接続するタプ工程を維持することができる。
【００９３】
その結果、工程費用を節減することができ、工程の効率性を向上させることができる。
【００９４】
次に、図３ｅに示すようにディスプレイパネル１１０をローラー１２０に巻き取ることで、図３ｆに示すように本発明の第１実施例に係るローラブルディスプレイ装置１００が完成する。
【００９５】
かかる本発明の第１実施例に係るローラブルディスプレイ装置１００は、使用しないときはディスプレイパネル１１０がローラー１２０に巻き取られるようにし、使用するときはローラー１２０からディスプレイパネル１１０が巻き出され繰り広げられるようにするため、空間活用に非常に優れている、という長所を有する。
【００９６】
また、超薄型化及び軽量化を具現することができ、インテリア及びデザイン的な活用にも非常に優れている。
【００９７】
特に、ディスプレイパネル１１０の一縁部に接続される印刷回路基板１３０をローラー１２０の内部空間Ａに安定して固定されるようにすることで、ディスプレイパネル１１０がローラー１２０に巻き取られたり巻き出されたりするときに、印刷回路基板１３０に衝撃が与えられたり、印刷回路基板１３０とディスプレイパネル１１０とを接続する接続部材１４０に応力が加えられたりすることを防止することができる。
【００９８】
したがって、印刷回路基板１３０上に実装された駆動回路（不図示）が破損したり、印刷回路基板１３０とディスプレイパネル１１０との接続不具合が発生したりして、信号不良が生じたり、ディスプレイパネル１１０の信頼性が低下したりする問題が発生することを防止することができる。
【００９９】
図４ａ〜４ｂは、本発明の第２実施例に係るローラブルディスプレイ装置を示した正面図である。
【０１００】
図４ａに示すように本発明の第２実施例に係るローラブルディスプレイ装置は、ディスプレイパネルを使用しない非使用モードでは、ディスプレイパネルがローラーに巻き取られたままケースの内部に位置するようにする。また、図４ｂに示すようにディスプレイパネルを使用し、画像を表示する使用モードでは、全自動でディスプレイパネルがケースから上方に引き上げられ、繰り広げられるようにする。
【０１０１】
したがって、かかるローラブルディスプレイ装置は、空間活用に非常に優れている長所を有する。また、超薄型化及び軽量化を具現することができ、インテリア及びデザイン的な活用にも非常に優れている。
【０１０２】
そして、本発明の第２実施例に係るローラブルディスプレイ装置は、ディスプレイパネルを上方に繰り広げるため、ユーザーが使用する空間内においてケースを底面に位置することができる。天井や壁面に設置しなくても良いので、美観面でも良く、インテリア及びデザイン的な効果が更に向上する。
【０１０３】
また、天井や壁面に設置する場合、据え置きの問題などで設置作業が非常に難しく、相当の設置費用がかかるが、本発明の第２実施例に係るローラブルディスプレイ装置は、別途の設置作業が不要なため、追加の設置費用がかからない。
【０１０４】
また、本発明の第２実施例に係るローラブルディスプレイ装置は、別途の設置作業が不要であり、超薄型及び軽量になっているため、持ち運びや保管がしやすいという長所を有する。
【０１０５】
特に、ディスプレイパネルが全自動でローラーに巻き取られたり巻き出されたりするため、ユーザーの便宜性が更に向上する。
【０１０６】
図５ａ〜５ｂは、本発明の第２実施例に係る全自動ローラブルディスプレイ装置を概略的に示した斜視図である。図５ａは非使用モードのローラブルディスプレイ装置を概略的に示し、図５ｂは使用モードのローラブルディスプレイ装置を概略的に示す。
【０１０７】
説明の都合上、図面における方向を定義すると、ケース２３０の内部でローラー２２０（図６ａを参照）に巻き取られているディスプレイパネル２１０は全自動で上方に引き上げられ繰り広げられる。また、ディスプレイパネル２１０は全自動で下方に引き込まれ、再びローラー２２０（図６ａを参照）に巻き取られる。
【０１０８】
図中に示すように、ローラブルディスプレイ装置２００は、画像を具現化するためのディスプレイパネル２１０と、ディスプレイパネル２１０が巻き取られるローラー２２０（図６ａを参照）と、ディスプレイパネル２１０をローラー２２０（図６ａを参照）に巻き取ったり巻き出したりする駆動システム３００と、ローラー２２０（図６ａを参照）が収納されるケース２３０とを備える。
【０１０９】
ディスプレイパネル２１０は、液晶ディスプレイ装置（Ｌｉｑｕｉｄ  Ｃｒｙｓｔａｌ  Ｄｉｓｐｌａｙ  ｄｅｖｉｃｅ：ＬＣＤ）、プラズマディスプレイ装置（Ｐｌａｓｍａ  Ｄｉｓｐｌａｙ  Ｐａｎｅｌ  ｄｅｖｉｃｅ：ＰＤＰ）、電界放出ディスプレイ装置（Ｆｉｅｌｄ  Ｅｍｉｓｓｉｏｎ  Ｄｉｓｐｌａｙ  ｄｅｖｉｃｅ：ＦＥＤ）、電気発光ディスプレイ装置（Ｅｌｅｃｔｒｏｌｕｍｉｎｅｓｃｅｎｃｅ  Ｄｉｓｐｌａｙ  ｄｅｖｉｃｅ：ＥＬＤ）、有機発光素子（Ｏｒｇａｎｉｃ  Ｌｉｇｈｔ  Ｅｍｉｔｔｉｎｇ  Ｄｉｏｄｅｓ：ＯＬＥＤ）のうち、一つからなり得るが、紙のように曲がってもディスプレイ性能をそのまま維持できるフレキシブルディスプレイ装置の代表であるＯＬＥＤを使用することが好ましい。
【０１１０】
ＯＬＥＤは自発光素子であって、非発光素子の液晶ディスプレイ装置に使用されるバックライトが不要なため、軽量・薄型が可能である。
【０１１１】
そして、液晶ディスプレイ装置に比べ、視野角及びコントラストに優れており、消費電力面でも有利で直流低電圧駆動が可能である。また、応答速度が速く、内部構成要素が固体であるため、外部からの衝撃に強く、使用温度範囲も広いといった長所を有する。
【０１１２】
特に、製造工程が単純であるため、生産原価を既存の液晶ディスプレイ装置より大きく節減できるという長所がある。
【０１１３】
かかるＯＬＥＤからなるディスプレイパネル２１０は、第１基板と、第１基板と向き合う第２基板とで構成される。第１及び第２基板は、接着性を有する保護層を介して互いに離隔して貼り合わされる。
【０１１４】
図面には示していないが、更に詳しく説明すると、第１基板の上部には画素領域毎に駆動薄膜トランジスタが設けられる。それぞれの駆動薄膜トランジスタには第１電極が接続され、第１電極の上部には特定色の光を発光する有機発光層が設けられる。有機発光層の上部には第２電極が設けられる。
【０１１５】
有機発光層は赤・緑・青色を表現するが、一般的な方法では画素毎に赤・緑・青色を発光する別途の有機物質をパターニングして使用する。
【０１１６】
これら第１及び第２電極とその間に形成された有機発光層は発光ダイオードを構成する。かかる構造を有するディスプレイパネル２１０は、第１電極を陽極（ａｎｏｄｅ）として、第２電極を陰極（ｃａｔｈｏｄｅ）として構成する。
【０１１７】
かかるディスプレイパネル２１０の非表示領域には、ディスプレイパネル２１０に駆動信号及び電源信号を伝達する複数の配線及び駆動チップが設けられている。
【０１１８】
非表示領域の一側には複数の配線と電気的に接続される印刷回路基板（不図示）が接続されている。印刷回路基板は軟性回路基板やテープキャリアパッケージ（ＴＣＰ）のような接続部材を介してディスプレイパネル２１０と接続される。
【０１１９】
かかるディスプレイパネル２１０は、非使用モードでは、図５ａに示すようにディスプレイパネル２１０がローラー２２０（図６ａを参照）に巻き取られたままケース２３０の内部に位置する。使用モードでは、図５ｂに示すようにディスプレイパネル２１０がケース２３０から上方に引き上げられ、画像を具現化する。
【０１２０】
ディスプレイパネル２１０は駆動システム４００により、全自動でローラー２２０（図６ａを参照）に巻き取られ、また、全自動でローラー２２０（図６ａを参照）から巻き出されてケース２３０の外部に繰り広げられ、非使用モードと使用モードが具現化される。
【０１２１】
したがって、ユーザーは、本発明の第２実施例に係るローラブルディスプレイ装置２００の非使用モードと使用モードにより、ディスプレイパネル２１０をローラー２２０（図６ａを参照）に容易く巻き取ったり巻き出したりすることができる。その結果、ユーザーの便宜性が向上する。
【０１２２】
駆動システム３００は、回転力を発生させる第１及び第２モーター３０１ａ、３０１ｂと、第１及び第２モーター３０１ａ、３０１ｂの回転運動の伝達をそれぞれ受け、一定の軌跡を描きながら円運動する一対の第１及び第２リンク３０３ａ、３０３ｂと、第１及び第２リンク３０３ａ、３０３ｂと第１及び第２回転リンク３０５ａ、３０５ｂを介して接続されるレール部３１０と、レール部３１０に接続され、ディスプレイパネル２１０の第１側辺を固定する固定ブラケット３２０とを含む。
【０１２３】
レール部３１０は、ディスプレイパネル２１０の第１側辺に対応する長さを有するガイドレール３１１（図６ａを参照）と、ガイドレール３１１（図６ａを参照）の長さ方向に沿って直線運動する第１及び第２ガイドブラケット３１３ａ、３１３ｂ（図６ｂを参照）とを含む。
【０１２４】
その時、固定ブラケット３２０とレール部３１０とは接続される。
【０１２５】
ガイドレール３１１（図６ａを参照）の長さ方向に沿って直線運動する第１及び第２ガイドブラケット３１３ａ、３１３ｂ（図６ａを参照）は、第１及び第２回転リンク３０５ａ、３０５ｂ（図６ａを参照）を介して第1及び第２リンク３０３ａ、３０３ｂに接続される。第１及び第２リンク３０３ａ、３０３ｂは、それぞれディスプレイパネル２１０の第１側辺に垂直な第２及び第３側辺のそれぞれの長さの１／２の長さを有するように形成される。
【０１２６】
かかる第１及び第２リンク３０３ａ、３０３ｂは、それぞれの一端がケース２３０の長さ方向の両端に位置し、それぞれの他端は互いに向き合うように位置する、或いは第１及び第２モーター３０１ａ、３０１ｂの回転運動を受け、一定の軌跡を描きながら円運動し、レール部３１０と固定ブラケット３２０を上方に押し上げる。
【０１２７】
レール部３１０と固定ブラケット３２０を上方に押し上げることにより、固定ブラケット３２０に第１側辺が固定されたディスプレイパネル２１０も一緒に上方に引き上げられ、ディスプレイパネル２１０が繰り広げられる。
【０１２８】
その時、第１及び第２リンク３０３ａ、３０３ｂは、繰り広げられたディスプレイパネル２１０の第１側辺に垂直な両側の第２及び第３側辺を支持する。
【０１２９】
このように本発明の第２実施例に係るローラブルディスプレイ装置２００は、非使用モードではローラー２２０（図６ａを参照）に巻き取られたままケース２３０の内部に位置し、使用モードではディスプレイパネル２１０がケース２３０から上方に引き上げられ、画像を具現化する。
【０１３０】
特に、ディスプレイパネル２１０が全自動でローラー２２０（図６ａを参照）に巻き取られたり巻き出されたりすることで、ユーザーの便宜性が更に向上する。
【０１３１】
それについて図６ａ〜６ｄを参照し、更に詳しく説明する。
【０１３２】
図６ａは、本発明の第２実施例に係るローラブルディスプレイ装置を概略的に示した断面図であり、図６ｂは、図６ａの分解斜視図である。
【０１３３】
そして、図６ｃ〜６ｄは、本発明の第２実施例に係るローラブルディスプレイ装置が非使用モードから使用モードに切り替わる様子を概略的に示した斜視図である。
【０１３４】
図６ａ〜６ｄは、ディスプレイパネル２１０がローラー２２０に巻き取られている非使用モードを概略的に示した断面図と斜視図である。
【０１３５】
図６ａ及び図６ｂに示すように、ローラブルディスプレイ装置２００においては、円筒形状若しくは中空管形状のロ−ラー２２０の外面に沿ってディスプレイパネル２１０が巻き取られている。ディスプレイパネル２１０の一縁部は、駆動システム３００の固定ブラケット３２０に固定されている。
【０１３６】
駆動システム３００は、回転力を発生させる第１及び第２モーター３０１ａ、３０１ｂと、第１及び第２モーター３０１ａ、３０１ｂの回転運動の伝達をそれぞれ受け、一定の軌跡を描きながら円運動する一対の第１及び第２リンク３０３ａ、３０３ｂと、第１及び第２リンク３０３ａ、３０３ｂと第１及び第２回転リンク３０５ａ、３０５ｂとを介して接続されるレール部３１０と、レール部３１０に接続され、ディスプレイパネル２１０の一縁部を固定する固定ブラケット３２０とを含む。
【０１３７】
その構造について更に詳しく説明する。ローラー２２０に巻き取られているディスプレイパネル２１０の第１側辺（例えば、長辺）は固定ブラケット３２０に固定される。固定ブラケット３２０は、ディスプレイパネル２１０の第１側辺の背面一部を支持する支持部３２１と、ディスプレイパネル２１０の画像が具現化される前方に向けて支持部３２１の一端から突出し、ディスプレイパネル２１０の一縁部が差込・挿入される差込ホール３２５が形成された固定部３２３とを含む。
【０１３８】
かかる固定ブラケット３２０は、ディスプレイパネル２１０の第１側辺に対応する長さを有するように形成される。
【０１３９】
ディスプレイパネル２１０の後方の固定ブラケット３２０の下部にレール部３１０が位置するが、レール部３１０は、ガイドレール３１１が固定ブラケット３２０の支持部３２１の他端と接続されて固定される。
【０１４０】
ガイドレール３１１は、ディスプレイパネル２１０の一縁部に対応する長さを有するように形成される。また、ガイドレール３１１には、ガイドレール３１１の長さ方向に沿って直線運動する第１及び第２ガイドブラケット３１３ａ、３１３ｂが装着されている。
【０１４１】
ガイドレール３１１は長さ方向に垂直な断面が略「コ」の形状となり、固定ブラケット３２０の支持部３２１の他端と接続される第１ガイド部３１１ａと、第１ガイド部３１１ａと平行に互いに向き合って位置する第２ガイド部３１１ｂと、第１及び第２ガイド部３１１ａ、３１１ｂに対して垂直に位置し、第１及び第２ガイド部３１１ａ、３１１ｂの一端を互いに接続する第３ガイド部３１１ｃとを含む。
【０１４２】
そして、第１及び第２ガイド部３１１ａ、３１１ｂの他端には、それぞれ第４及び第５ガイド部３１１ｄ、３１１ｅが互いに向き合う方向で、第１及び第２ガイド部３１１ａ、３１１ｂの他端から垂直に折曲され、開口部を成して形成される。
【０１４３】
また、第１及び第２ガイドブラケット３１３ａ、３１３ｂは、それぞれ第３ガイド部３１１ｃと互いに向き合うように形成される垂直ガイド部３１５と、垂直ガイド部３１５からガイドレール３１１の開口部に向かって突出する水平ガイド部３１７とを含む。第１及び第２ガイド部３１１ａ、３１１ｂの内側面には、第１及び第２ガイドブラケット３１３ａ、３１３ｂの垂直ガイド部３１５の長さ方向の両端が差込・挿入されてガイドされる第１及び第２ガイドホール３１９ａ、３１９ｂが形成されている。
【０１４４】
したがって、第１及び第２ガイドブラケット３１３ａ、３１３ｂは、ガイドレール３１１の第１及び第２ガイドホール３１９ａ、３１９ｂに垂直ガイド部３１５の両端が差込・挿入された状態で、ガイドレール３１１の長さ方向に沿って直線運動をする。
【０１４５】
図６ｂに示すように非使用モードでは、第１及び第２ガイドブラケット３１３ａ、３１３ｂがガイドレール３１１の中心部に位置する。
【０１４６】
そして、第１及び第２ガイドブラケット３１３ａ、３１３ｂの水平ガイド部３１７には、それぞれ第１及び第２回転リンク３０５ａ、３０５ｂの一端が固定される。第１及び第２回転リンク３０５ａ、３０５ｂは、レール部３１０の下部に位置する一対の第１及び第２リンク３０３ａ、３０３ｂにそれぞれ接続される。
【０１４７】
一対の第１及び第２リンク３０３ａ、３０３ｂは、それぞれディスプレイパネル２１０の第１側辺の長さの１／２の長さを有するように形成される。第１及び第２リンク３０３ａ、３０３ｂの各一端はディスプレイパネル２１０の長さ方向の両端に位置する第１及び第２モーター３０１ａ、３０１ｂに接続され、第１及び第２リンク３０３ａ、３０３ｂの各他端は互いに向き合うように位置する。
【０１４８】
ガイドレール３１１の中心部に位置する第１及び第２ガイドブラケット３１３ａ、３１３ｂにその一端が固定された第１及び第２回転リンク３０５ａ、３０５ｂは、それぞれの他端が第１及び第２リンク３０３ａ、３０３ｂの他端に接続される。
【０１４９】
第１及び第２リンク３０３ａ、３０３ｂの他端に接続された第１及び第２回転リンク３０５ａ、３０５ｂの他端は、第１及び第２リンク３０３ａ、３０３ｂの他端から回転可能に接続される。
【０１５０】
第１及び第２リンク３０３ａ、３０３ｂの各一端は、第１及び第２モーター３０１ａ、３０１ｂにそれぞれ接続される。
【０１５１】
第１及び第２モーター３０１ａ、３０１ｂをそれぞれ時計回りと反時計回りに回転させると、一対の第１及び第２リンク３０３ａ、３０３ｂへ第１及び第２モーター３０１ａ、３０１ｂの回転力が伝達され、図６ｃに示すように第１及び第２リンク３０３ａ、３０３ｂはそれぞれ時計回りと反時計回りに一定の軌跡を描きながら円運動する。
【０１５２】
第１及び第２リンク３０３ａ、３０３ｂがそれぞれ時計回りと反時計回りに一定の軌跡を描きながら円運動することにより、第１及び第２リンク３０３ａ、３０３ｂの他端に接続された第１及び第２回転リンク３０５ａ、３０５ｂは、第１及び第２リンク３０３ａ、３０３ｂの円運動によって回転することになる。
【０１５３】
第１及び第２リンク３０３ａ、３０３ｂの円運動による力は、第１及び第２回転リンク３０５ａ、３０５ｂを介し、第１及び第２回転リンク３０５ａ、３０５ｂの一端に固定された第１及び第２ガイドブラケット３１３ａ、３１３ｂに伝達される。ガイドレール３１１の中心部に位置している第１及び第２ガイドブラケット３１３ａ、３１３ｂは、第１及び第２リンク３０３ａ、３０３ｂの円運動による力を受け、ガイドレール３１１の長さ方向に沿って互いに反対方向にガイドされ、直線運動をする。
【０１５４】
したがって、第１及び第２リンク３０３ａ、３０３ｂの円運動による力と第１及び第２ガイドブラケット３１３ａ、３１３ｂが直線運動をする力とにより、レール部３１０と固定ブラケット３２０が上方に押し上げられる。
【０１５５】
レール部３１０と固定ブラケット３２０が上方に押し上げられることにより、固定ブラケット３２０に第１側辺が固定されたディスプレイパネル２１０も一緒に上方に引き上げられ、ディスプレイパネル２１０がローラー２２０から巻き出され、繰り広げられる。
【０１５６】
第１及び第２リンク３０３ａ、３０３ｂがディスプレイパネル２１０の長さ方向に垂直に位置すると、第１及び第２モーター３０１ａ、３０１ｂの回転が止まり、図６ｄに示すように本発明の第２実施例に係るローラブルディスプレイ装置２００は、使用モードを具現化する。
【０１５７】
その時、第１及び第２リンク３０３ａ、３０３ｂは、繰り広げられたディスプレイパネル２１０の第１側辺に垂直な両側の第２及び第３側辺を支持することになる。
【０１５８】
それにより、全て繰り広げられたディスプレイパネル２１０の剛性を向上させることができる。
【０１５９】
そして、図中には示していないが、ディスプレイパネル２１０が巻き取られるローラー２２０にも巻取り用モーターを装着することができる。巻取り用モーターは第１及び第２モーター３０１ａ、３０１ｂと連動して、第１及び第２モーター３０１ａ、３０１ｂが回転すると、巻取り用モーターも第１及び第２モーター３０１ａ、３０１ｂの回転運動に対応して回転する。
【０１６０】
したがって、使用モードを具現化するため、本発明の第２実施例に係るローラブルディスプレイ装置２００の第１及び第２モーター３０１ａ、３０１ｂを回転させ、ディスプレイパネル２１０がローラー２２０から巻き出されて繰り広げられるようにする過程において、第１及び第２モーター３０１ａ、３０１ｂと連動するローラー２２０の巻取り用モーターも回転する。また、巻取り用モーターの回転により、ローラー２２０も回転することになる。
【０１６１】
ローラー２２０が回転することにより、第１及び第２リンク３０３ａ、３０３ｂの円運動と第１及び第２ガイドブラケット３１３ａ、３１３ｂの直線運動の力でレール  部３１０と固定ブラケット３２０が上方に押し上げられ、ディスプレイパネル２１０も上方に押し上げられる過程において、ディスプレイパネル２１０がローラー２２０からより簡単に巻き出され、繰り広げられるようにすることができる。
【０１６２】
最近のディスプレイパネル２１０は、横対縦の比が４：３、或いは１６：９の割合を有するように形成される。しかし、本発明の第２実施例に係るローラブルディスプレイ装置２００の場合、ディスプレイパネル２１０を上方に引き上げる働きをする第１及び第２リンク３０３ａ、３０３ｂが、ディスプレイパネル２１０の第１側辺の長さの１／２に該当する長さを有するため、最近求められるディスプレイパネル２１０の横対縦の長さに対応できないことがあり得る。
【０１６３】
即ち、１６：９の割合を有するディスプレイパネル２１０が繰り広げられるようにするためには、ディスプレイパネル２１０の第１側辺の長さ「１６」に対して、第１及び第２リンク３０３ａ、３０３ｂの長さが「９」以上の割合を有するように形成しなければならない。しかし、実際に第１及び第２リンク３０３ａ、３０３ｂの長さは、１６／２に該当する「８」の割合を有するように形成される。
【０１６４】
よって、第１及び第２リンク３０３ａ、３０３ｂの長さが実際のディスプレイパネル２１０の縦長に比べて短く形成されるため、ディスプレイパネルが実際には全て繰り広げられないという問題が生じ得る。
【０１６５】
かかる問題を解決するため、本発明の第２実施例に係るローラブルディスプレイ装置２００は、ディスプレイパネル２１０の第１側辺を固定する固定ブラケット３２０がディスプレイパネル２１０の縦長（即ち、第２及び第３側辺のそれぞれの長さ）に対応し、第１及び第２リンク３０３ａ、３０３ｂの長さの足りない分を支えて固定するようにする。
【０１６６】
それについて更に詳しく説明する。固定ブラケット３２０の支持部３２１は、一定の高さＤを有するように形成され、実際にディスプレイパネル２１０の第１側辺を固定する差込ホール３２５は、支持部３２１の上段の一端から突出して形成される固定部３２３に形成されるため、固定ブラケット３２０は、ディスプレイパネル２１０の第１側辺のＡ領域分だけ支持・固定する。
【０１６７】
Ａ領域とは、ディスプレイパネル２１０の縦長に対し、第１及び第２リンク３０３ａ、３０３Ｂの足りない長さに対応する領域である。支持部３２１の高さＤと第１及び第２リンク３０３ａ、３０３ｂのそれぞれの長さの合計は、ディスプレイパネル２１０の縦長（即ち、第２及び第３側辺のそれぞれの長さ）に対応する。それにより、ディスプレイパネル２１０を全て繰り広げることができる。
【０１６８】
そして、図中には示していないが、本発明の第２実施例に係るローラブルディスプレイ装置２００のディスプレイパネル２１０及びローラー２２０は、本発明の第１実施例に係るローラブルディスプレイ装置１００（図１ａを参照）のディスプレイパネル１１０（図１ａを参照）及びローラー１２０（図１ａを参照）と同様の構造を有することができる。例えば、印刷回路基板を、ディスプレイパネル２１０の第１側辺の反対側に位置する第４側辺に接続部材を介して接続することができる。そして、ローラー２２０には、ガイドホール、差込ホール、及び固定溝を設けることができ、印刷回路基板にはピンホールを設けることができる。また、印刷回路基板及び接続部材をガイドホールに挿入し、ローラー２２０の内部に配置することができ、ピンを差込ホール及びピンホールに挿入して、固定溝に固定することができる。その結果、印刷回路基板がローラー２２０の内部に安定して固定される。
【０１６９】
前述のように、本発明の第２実施例に係るローラブルディスプレイ装置２００は、ディスプレイパネル２１０を使用しない非使用モードでは、ディスプレイパネル２１０を全自動でローラー２２０に巻き取り、ケース２３０の内部に位置するようにする。また、ディスプレイパネル２１０を使用して画像を表示する使用モードでは、ディスプレイパネル２１０が全自動でローラー２２０から巻き出され、上方に引き上げられるようにする。その結果、空間活用に非常に優れている、という長所を有する。また、超薄型化及び軽量化を具現することができ、インテリア及びデザイン的な活用にも非常に優れている。
【０１７０】
そして、ディスプレイパネル２１０が上方に繰り広げられるようにすることで、ユーザーが使用する空間内においてケース２３０を底面に位置させることができる。それにより、天井や壁面に設置しなくても良いので、美観面でも良く、インテリア及びデザイン的な効果が更に向上する。
【０１７１】
また、天井や壁面に設置する場合は、据え置きの問題などで設置作業が非常に難しく、相当の設置費用がかかるが、本発明の第２実施例に係るローラブルディスプレイ装置２００は、別途の設置作業が不要なため、追加の設置費用がかからない。
【０１７２】
また、本発明の第２実施例に係るローラブルディスプレイ装置２００は、別途の設置作業が不要であり、超薄型及び軽量になっているため、持ち運びや保管がしやすいという長所を有する。
【０１７３】
特に、ディスプレイパネル２１０が全自動でローラーに巻き取られたり巻き出されたりするため、ユーザーの便宜性が更に向上する。
【０１７４】
一方、ディスプレイを提供する方法において、フレキシブルなディスプレイパネル１１０、２１０は、映像を表示するように設定される。そして、ディスプレイパネル１１０、２１０の一部分が上昇し、ディスプレイパネル１１０、２１０が繰り広げられる。ディスプレイパネル１１０、２１０を繰り広げる一つの方法は、ディスプレイパネル１１０、２１０の一部分が上昇する間、ディスプレイパネル１１０、２１０を繰り広げることである。ディスプレイパネル１１０、２１０の一端部を上方に押し上げることにより、ディスプレイパネル１１０、２１０の一端部を上昇させることができる。その結果、ディスプレイパネル１１０、２１０はハウジング／ケース２３０から巻き出される。逆に、ディスプレイパネル１１０、２１０の一端部を下降させることにより、ディスプレイパネル１１０、２１０をケース２３０の内部に巻き取ることができる。また、ディスプレイパネル１１０、２１０を、ケース２３０の内部に提供されるローラー１２０、２２０から巻き出したり、ローラー１２０、２２０に巻き取ったりすることができる。
【０１７５】
一方、上昇手段がケース２３０からディスプレイパネル１１０、２１０を延長することにより、ディスプレイパネル１１０、２１０の一部分を上昇させることができる。上昇手段はディスプレイパネル１１０、２１０の一部分に付着されるガイドレール３１１と、ガイドレール３１１を上昇させるリンク３０３ａ、３０３ｂとを含む。そして、印刷回路基板１３０は、ディスプレイパネル１１０、２１０に接続され、ローラー１２０、２２０の内部に位置する。印刷回路基板１３０からディスプレイパネル１１０、２１０に信号が伝達されることにより、ディスプレイパネル１１０、２１０に映像が表示される。
【０１７６】
本発明は前記実施例に限定されず、本発明の趣旨を一脱しない範囲内で多様に変更及び実施することができる。
【符号の説明】
【０１７７】
１００、２００・・・ローラブルディスプレイ装置
１１０、２１０・・・ディスプレイパネル
１２０、２２０・・・ローラー
１３０・・・印刷回路基板
１４０・・・接続部材
２３０・・・ケース
３００・・・駆動システム
３０１ａ、３０１ｂ・・・第１及び第２モーター
３０３ａ、３０３ｂ・・・第１及び第２リンク
３０５ａ、３０５ｂ・・・第１及び第２回転リンク
３１０・・・レール部
３２０・・・固定ブラケット
【図１ａ】
0006574216.tif 000002
【図１ｂ】
0006574216.tif 000003
【図２ａ】
0006574216.tif 000004
【図２ｂ】
0006574216.tif 000005
【図２ｃ】
0006574216.tif 000006
【図３ａ】
0006574216.tif 000007
【図３ｂ】
0006574216.tif 000008
【図３ｃ】
0006574216.tif 000009
【図３ｄ】
0006574216.tif 000010
【図３ｅ】
0006574216.tif 000011
【図３ｆ】
0006574216.tif 000012
【図４ａ】
0006574216.tif 000013
【図４ｂ】
0006574216.tif 000014
【図５ａ】
0006574216.tif 000015
【図５ｂ】
0006574216.tif 000016
【図６ａ】
0006574216.tif 000017
【図６ｂ】
0006574216.tif 000018
【図６ｃ】
0006574216.tif 000019
【図６ｄ】
0006574216.tif 000020